(57)【要約】    【課題】      ユーザが画面を見る動作を行う際に、ユーザが見たい情報を自動的にユーザに提示すること。    【解決手段】  通信部１０１は、コンテンツ取得を行う。緊急度判定部１０２は、放送コンテンツの受信に際して、直ちにコンテンツの受信通知を行うか否かについての判定を行う。端末状態判定部１０３は、開閉式の携帯電話において、閉じられた状態であるか、開かれた状態であるかの確認を行う。情報保存処理部１０４は、コンテンツ及び設定情報の更新処理を行う。再生情報選択部１０５は、端末の状況に応じて情報保存部１０６内の再生すべきコンテンツを検索する。情報保存部１０６は、受信コンテンツの保存を行う。情報再生処理部１０７は、選択したコンテンツを再生する。出力部１０８は、コンテンツの表示や音の再生を行う。  【選択図】      図１
2006093866.tif 000002
【特許請求の範囲】
【請求項１】
ヒンジを介して二つの筐体部を開状態、閉状態に設定可能にした筐体と、
前記筐体の開状態を検出する端末状態検出手段と、
前記端末状態検出手段にて前記筐体の開状態を検出した場合に再生すべきコンテンツを選択する再生情報選択手段と、
前記再生情報選択手段にて選択された前記コンテンツの再生処理を行う再生処理手段と、
を具備することを特徴とするコンテンツ再生端末。
【請求項２】
ヒンジを介して二つの筐体部を開状態、閉状態に設定可能にした筐体と、
前記筐体の開状態を検出する端末状態検出手段と、
コンテンツを受信するための受信手段と、
受信したコンテンツを保存すると共に、再生すべきコンテンツを選択する為の条件を示す選択条件情報を格納している記憶手段と、
前記選択条件情報に基づき、前記受信手段が受信したコンテンツの保存処理を行うと共に、当該コンテンツに再生優先度情報を付加することで受信したコンテンツの保存処理を行う情報保存処理手段と、
前記端末状態検出手段にて前記筐体の開状態を検出した場合には、前記再生優先度情報に基づいて前記記憶手段内に格納された所定のコンテンツを選択する再生情報選択手段と、
選択したコンテンツの再生処理を行う再生処理手段と、
を具備することを特徴とするコンテンツ再生端末。
【請求項３】
ヒンジを介して二つの筐体部を開状態、閉状態に設定可能にした筐体と、
前記筐体の開状態を検出する端末状態検出手段と、
再生すべきコンテンツを選択する為の条件を示すコンテンツの選択条件情報を記憶する記憶手段と、
前記端末状態検出手段が、前記筐体の開状態を検出したとき、当該端末を取り囲む環境情報の取得を行う環境情報取得手段と、
前記端末状態検出手段にて前記筐体の開状態を検出した場合には、前記記憶手段内に格納された選択条件情報と前記環境情報取得手段が取得した環境情報とに基づいて再生すべきコンテンツを選択する再生情報選択手段と、
選択したコンテンツの再生処理を行う再生処理手段と、
を具備することを特徴とするコンテンツ再生端末。
【請求項４】
前記選択条件情報は、端末の使用状況に応じて、コンテンツの選択条件が更新される情報であることを特徴とする請求項２又は請求項３記載のコンテンツ再生端末。
【請求項５】
ヒンジを介して二つの筐体部を開状態、閉状態に設定可能にした筐体の前記開状態を検出する第１ステップと、
前記第１ステップで前記筐体の開状態を検出した場合に再生すべきコンテンツを選択する第２のステップと、
選択したコンテンツの再生処理を行う第３ステップと、
を具備することを特徴とするコンテンツ再生方法。
【請求項６】
コンテンツを受信する第１ステップと、
再生すべきコンテンツを選択する為の条件を示す選択条件情報に基づき、前記第１ステップで受信したコンテンツの保存処理を行うと共に、当該コンテンツに再生優先度情報を付加することで受信したコンテンツの保存処理を行う第２ステップと、
ヒンジを介して二つの筐体部を開状態、閉状態に設定可能にした筐体の前記開状態を検出する第３ステップと、
前記第３ステップで前記筐体の開状態を検出した場合には前記再生優先度情報に基づいて再生すべきコンテンツを選択する第４ステップと、
選択したコンテンツの再生処理を行う第５ステップと、
を具備することを特徴とするコンテンツ再生方法。
【請求項７】
ヒンジを介して二つの筐体部を開状態、閉状態に設定可能にした筐体の前記開状態を検出する第１ステップと、
前記第１ステップで、前記筐体の開状態を検出した場合には当該端末を取り囲む環境情報の取得を行う第２ステップと、
前記第１ステップで、前記筐体の開状態を検出した場合には、記憶手段内に格納された再生すべきコンテンツを選択する為の条件を示す選択条件情報と前記第２ステップで取得した環境情報とに基づいて、再生すべきコンテンツを選択する第３ステップと、
選択したコンテンツの再生処理を行う第４ステップと、
を具備することを特徴とするコンテンツ再生方法。
【請求項８】
前記選択条件情報は、端末の使用状況に応じて、コンテンツの選択条件が更新される情報であることを特徴とする請求項６又は７記載のコンテンツ再生方法。
【発明の詳細な説明】
【技術分野】
【０００１】
本発明は、コンテンツ再生端末及びコンテンツ再生方法に関し、例えば一旦コンテンツを蓄積した後に、その後のユーザ操作に基づいて、蓄積したコンテンツを表示するようにしたコンテンツ再生端末及びコンテンツ再生方法に関する。
【背景技術】
【０００２】
例えば、現在地を取得できる位置通知システムから得られる利用者の位置情報を用いて、利用者が予め決めておいた行動を、取得した位置情報に対応させて、利用者に促す技術が知られている（例えば、特許文献１）。
【０００３】
特許文献１では、位置情報と関連付ける目標物または場所名のデータベースを有するシステムであり、端末の現在位置を定期的に検出することにより、その位置に関係する目標物または場所名を得て、その目標物または場所名をキーワードとして、そのキーワードがユーザの行動予定として、ユーザの入力データ内に存在するならば、ユーザに通知するものである。
【特許文献１】特開平１１−２９６５４６号公報
【発明の開示】
【発明が解決しようとする課題】
【０００４】
しかしながら、従来の装置においては、位置情報を定期的に検出する必要があり、携帯電話機等の携帯端末では、消費電力が増加し、又、処理負荷が重くなるという問題がある。
【０００５】
また、目標物または場所名、行動予定等のデータをユーザが入力する必要があり、携帯電話などの入力インタフェースに制約がある機器では、煩わしく、ユーザフレンドリでないという問題もある。
【０００６】
本発明は、かかる点に鑑みてなされたものであり、ユーザが画面を見る動作を行う際に、ユーザが見たい情報を自動的にユーザに提示することができるコンテンツ再生端末及びコンテンツ再生方法を提供することを目的とする。
【課題を解決するための手段】
【０００７】
本発明のコンテンツ再生端末は、ヒンジを介して二つの筐体部を開状態、閉状態に設定可能にした筐体と、前記筐体の開状態を検出する端末状態検出手段と、前記端末状態検出手段にて前記筐体の開状態を検出した場合には再生すべきコンテンツを選択する再生情報選択手段と、前記再生情報選択手段にて選択された前記コンテンツの再生処理を行う再生処理手段と、を具備する構成を採る。
【０００８】
この構成によれば、筐体の開状態を検出した場合には、再生すべきコンテンツを選択して再生するので、ユーザが画面を見る動作を行う際に、ユーザが見たい情報を自動的にユーザに提示することができる。
【０００９】
本発明のコンテンツ再生端末は、ヒンジを介して二つの筐体部を開状態、閉状態に設定可能にした筐体と、前記筐体の開状態を検出する端末状態検出手段と、コンテンツを受信するための受信手段と、受信したコンテンツを保存すると共に、再生すべきコンテンツを選択する為の条件を示す選択条件情報を格納している記憶手段と、前記選択条件情報に基づき、前記受信手段が受信したコンテンツの保存処理を行うと共に、当該コンテンツに再生優先度情報を付加することで受信したコンテンツの保存処理を行う情報保存処理手段と、前記端末状態検出手段にて前記筐体の開状態を検出した場合には、前記再生優先度情報に基づいて前記記憶手段内に格納された所定のコンテンツを選択する再生情報選択手段と、選択したコンテンツの再生処理を行う再生処理手段と、を具備する構成を採る。
【００１０】
この構成によれば、筐体の開状態を検出した場合には、選択条件情報に基づいてコンテンツを選択して再生するので、ユーザが画面を見る動作を行う際に、ユーザが見たい情報を自動的にユーザに提示することができる。
【００１１】
本発明のコンテンツ再生端末は、ヒンジを介して二つの筐体部を開状態、閉状態に設定可能にした筐体と、前記筐体の開状態を検出する端末状態検出手段と、再生すべきコンテンツを選択する為の条件を示すコンテンツの選択条件情報を記憶する記憶手段と、前記端末状態検出手段が、前記筐体の開状態を検出したとき、当該端末を取り囲む環境情報の取得を行う環境情報取得手段と、前記端末状態検出手段にて前記筐体の開状態を検出した場合には、前記記憶手段内に格納された選択条件情報と前記環境情報取得手段が取得した環境情報とに基づいて再生すべきコンテンツを選択する再生情報選択手段と、選択したコンテンツの再生処理を行う再生処理手段と、を具備する構成を採る。
【００１２】
この構成によれば、選択条件情報及び環境情報に基づいてコンテンツを選択して再生するので、ユーザが画面を見る動作を行う際に、ユーザが見たい情報を自動的にユーザに提示することができる。
【００１３】
本発明のコンテンツ再生方法は、ヒンジを介して二つの筐体部を開状態、閉状態に設定可能にした筐体の前記開状態を検出する第１ステップと、前記第１ステップで前記筐体の開状態を検出した場合には再生すべきコンテンツを選択する第２のステップと、選択したコンテンツの再生処理を行う第３ステップと、を具備するようにした。
【００１４】
この方法によれば、筐体の開状態を検出した場合には、再生すべきコンテンツを選択して再生するので、ユーザが画面を見る動作を行う際に、ユーザが見たい情報を自動的にユーザに提示することができる。
【００１５】
本発明のコンテンツ再生方法は、コンテンツを受信する第１ステップと、再生すべきコンテンツを選択する為の条件を示す選択条件情報に基づき、前記第１ステップで受信したコンテンツの保存処理を行うと共に、当該コンテンツに再生優先度情報を付加することで受信したコンテンツの保存処理を行う第２ステップと、ヒンジを介して二つの筐体部を開状態、閉状態に設定可能にした筐体の前記開状態を検出する第３ステップと、前記第３ステップで前記筐体の開状態を検出した場合には前記再生優先度情報に基づいて再生すべきコンテンツを選択する第４ステップと、選択したコンテンツの再生処理を行う第５ステップと、を具備するようにした。
【００１６】
この方法によれば、筐体の開状態を検出した場合には、再生優先度情報に基づいてコンテンツを選択して再生するので、ユーザが画面を見る動作を行う際に、ユーザが見たい情報を自動的にユーザに提示することができる。
【００１７】
本発明のコンテンツ再生方法は、ヒンジを介して二つの筐体部を開状態、閉状態に設定可能にした筐体の前記開状態を検出する第１ステップと、前記第１ステップで、前記筐体の開状態を検出した場合には当該端末を取り囲む環境情報の取得を行う第２ステップと、前記第１ステップで、前記筐体の開状態を検出した場合には、記憶手段内に格納された再生すべきコンテンツを選択する為の条件を示す選択条件情報と前記第２ステップで取得した環境情報とに基づいて、再生すべきコンテンツを選択する第３ステップと、選択したコンテンツの再生処理を行う第４ステップと、を具備するようにした。
【００１８】
この方法によれば、選択条件情報及び環境情報に基づいてコンテンツを選択して再生するので、ユーザが画面を見る動作を行う際に、ユーザが見たい情報を自動的にユーザに提示することができる。
【発明の効果】
【００１９】
本発明によれば、ユーザが画面を見る動作を行う際に、ユーザが見たい情報を自動的にユーザに提示することができる。
【発明を実施するための最良の形態】
【００２０】
本発明の実施の形態について図面を参照して詳細に説明する。
【００２１】
本発明の骨子は、画面を見る動作が行われた場合、例えば、開閉式の携帯端末装置において、開く操作をきっかけとして保存してあるコンテンツを再生するようにしたことであり、特に、再生すべきコンテンツの選択に際し、再生すべきコンテンツを選択する為の条件を示す選択条件情報を利用して選択するように構成したものである。
【００２２】
（実施の形態１）
図１〜図６は、実施の形態１を説明する図である。はじめに、図４を用いて、情報提供システムの構成について説明する。
【００２３】
本発明のコンテンツ提供システム４５０は、図４に示すように、データを送信するデータ送信サーバ（放送サーバ）４００と、携帯電話機、ＰＤＡ（Personal Digital Assistant）等の複数のコンテンツ再生端末４０１〜４０３と、データ送信サーバ４００にインターネット４３０を経由してコンテンツを提供する複数のコンテンツ提供サーバ４１１〜４１３と、データ送信サーバ４００からのデータをコアネットワーク４２０を経由して受信し、このデータをコンテンツ再生端末４０１〜４０３に送信（配信）する基地局４２１〜４２３と、コンテンツ再生端末４０１〜４０３からコンテンツ提供サーバ４１１〜４１３への要求データを中継すると共に、コンテンツ提供サーバ４１１〜４１３からコンテンツ再生端末４０１〜４０３への応答データを中継するゲートウェイサーバ４１０とを備えて構築されている。
【００２４】
ここで、コンテンツ再生端末４０１〜４０３、コンテンツ提供サーバ４１１〜４１３、基地局４２１〜４２３のそれぞれの数は、本発明において、特に限定されるものではない。次に、図１を用いて、コンテンツ再生端末４０１〜４０３の構成について説明する。
【００２５】
図１（ａ）は、コンテンツ再生端末のブロック図、図１（ｂ）は、機械的構造を示す図である。
【００２６】
本発明のコンテンツ再生端末４０１は、表示装置１１０が設けられた上側筐体１１１とキー入力部１１２が設けられた下側筐体１１３とが、ヒンジ１１４を介して、折りたたみ可能に構成され、使用しないときには、表示装置１１０とキー入力部１１２とが向き合うように折りたたまれ（閉状態）、又、使用する場合、図１（ｂ）に示したように、開かれて（開状態）使用されるように構成されている。
【００２７】
又、コンテンツ再生端末４０１の電気的構成は、通信部１０１と、緊急度判定部１０２と、端末状態判定部（端末状態検出部）１０３と、情報保存処理部１０４と、再生情報選択部１０５と、情報保存部（記憶手段）１０６と、情報再生処理部１０７と、出力部１０８と、ブックマーク付与部１１５と、環境情報取得部１１６とを備えている。
【００２８】
通信部１０１は、放送コンテンツの受信やＷｅｂ上でコンテンツ取得などを行う部分である。
【００２９】
緊急度判定部１０２は、放送コンテンツの受信に際して、直ちにコンテンツの受信通知を行うか否かの判定を行う。受信コンテンツに緊急性を示す属性が含まれている、もしくはユーザにより直ちに通知するよう設定されているコンテンツに対応して、直ちに受信通知を行うか否かについての判定を行う。例えば、ユーザの嗜好に合う特徴情報を有するコンテンツであれば通知するように設定されている場合には、直ちに通知を行うように判定する機能を有する。
【００３０】
端末状態判定部（端末状態検出部）１０３は、コンテンツを受信した時に端末状態の確認を行う機能を備え、予め設定された情報を基に端末状態の確認を行う。例えば、アプリケーション起動中か否か、開閉式の携帯電話においては、閉じられた状態であるか、開かれた状態であるかの確認を行う。
【００３１】
情報保存処理部１０４は、コンテンツおよび設定情報の更新処理を行う。
【００３２】
再生情報選択部１０５は、情報保存部１０６から端末の状況に応じて再生すべきコンテンツを検索する。
【００３３】
情報保存部１０６は、受信コンテンツの保存を行うと共に、必要な設定情報などの端末に関わる情報を記憶する機能を有する。情報保存部１０６は、コンテンツ再生端末に内蔵されたメモリであり、具体的には、電気的消去型不揮発性メモリ（EEPROM）、読出書込可能な揮発性メモリ（SRAMやDRAM）、磁気メモリ（Hard Disk）のいずれかを使用する。また、情報保存部１０６には、コンテンツ再生端末に着脱自在な外部記憶装置、例えばカード型メモリ、スティック型メモリ等を使用することができる。更に、無線網や有線網で構築されたネットワークのサーバの記憶装置を情報保存部１０６として使用することができる。
【００３４】
再生情報選択部１０５は、情報保存部１０６内に格納されたコンテンツを検索すると共に、検索したコンテンツを選択する機能を有する。
【００３５】
情報再生処理部１０７は、コンテンツを再生する際の再生制御およびユーザ操作に基づく入力などに起因する処理を行い、本発明では、特に、再生情報選択部１０５が検索し、選択したコンテンツを再生処理する機能を有する。
【００３６】
出力部１０８は、情報再生処理部１０７からの指示により、コンテンツの表示や音の再生を行うディスプレイやスピーカなどである。
【００３７】
ブックマーク付与部１１５は、端末状態判定部１０３により端末装置の開状態が検出された時に再生すべきコンテンツとしての選択候補とする旨の印をコンテンツに付与する機能を有している。
【００３８】
又、環境情報取得部１１６は、端末装置の開状態が検出された時の当該端末装置の位置情報や時間情報を取得するものである。
【００３９】
次に、コンテンツ再生方法を、図１、６を用いて説明する。本実施の形態では、受信した放送コンテンツを蓄積した状態で、ユーザが、携帯電話機を開状態に操作した際に、未読のコンテンツの中から所定のコンテンツを選択し、表示する例で説明する。
【００４０】
最初に、図６に示す情報保存部１０６に記憶している選択条件情報６００について説明する。
【００４１】
選択条件情報６００は、情報保存部１０６に記憶するコンテンツの中から、再生するコンテンツを選択するための条件を示す情報であり、コンテンツに係る特徴情報や、時刻や端末の位置情報等の環境情報を含む情報である。
【００４２】
選択条件情報６００は、２つの条件情報６０１〜６０２を有しており、それぞれコンテンツに係る特徴情報に関する条件を示している。
【００４３】
最初の条件情報６０１は、特徴情報６１１と優先度情報６１２とを有する。
【００４４】
特徴情報６１１は、コンテンツに係る情報であり、ジャンル（ｇｅｎｒｅ）として、スポーツ（ｓｐｏｒｔｓ）の中のサッカー（ｆｏｏｔｂａｌｌ）を示すコンテンツに関わる情報であることを示すようになっている。
【００４５】
優先度情報６１２は、その特徴情報６１１に関わる優先度を示していて、条件情報６０１では、条件情報６０１を最優先とすることを示している。
【００４６】
また、次の条件情報６０２は、特徴情報６２１により、コンテンツに係る特徴情報として、ジャンル（ｇｅｎｒｅ）としてレジャー（ｌｅｉｓｕｒｅ）の中のツーリズム（ｔｏｕｒｉｓｍ）を示すコンテンツに関わる特徴情報であることを示している。
【００４７】
優先度情報６２２は、その特徴情報６２１に関わるコンテンツを２番目の優先度とすることを示している。
【００４８】
次に、コンテンツ提供システム４５０において、コンテンツ再生端末４０１が放送データを受信した時の処理フローを、図２、図５を用いて説明する。
【００４９】
ステップＳ２０１において、コンテンツ再生端末４０１は、図５（ａ）に示す放送コンテンツ５００を受信する。
【００５０】
受信する放送コンテンツ５００は、＜ｂｏｄｙ＞タグから＜／ｂｏｄｙ＞タグまでの範囲に示される本体情報（本文情報）５０２と、＜ｈｅａｄ＞タグから＜／ｈｅａｄ＞タグまでに示される属性情報５０１とから構成される。本体情報５０２は、ユーザに提示される内容を示し、属性情報５０１は本文に関わる特徴を示す情報である。
【００５１】
図５（ａ）に示す属性情報５０１は、この放送コンテンツ５００に関わる特徴情報としてジャンルに関する情報であり、ジャンル（ｇｅｎｒｅ）としてレジャー（ｌｅｉｓｕｒｅ）の中のツーリズム（ｔｏｕｒｉｓｍ）に属する、というコンテンツの特徴を示す情報である。
【００５２】
ステップＳ２０２において、コンテンツ再生端末４０１は、受信した放送コンテンツ５００が直ちに通知すべき情報であるか否かを判定する。緊急度判定部１０２は、放送コンテンツ５００には緊急に通知することを示す属性情報が付加されていないので、緊急メッセージではないと判定し、ステップＳ２０３において、端末状態判定部１０３は、筐体が開状態であるか、閉状態であるか、端末の状態を確認する。端末状態判定部１０３は、端末の開閉状態を判定し、開かれた状態と判定したならば、他のアプリケーションの動作の妨げにならないことを確認した後、ステップＳ２０７において、放送コンテンツ５００の受信通知を行う。
【００５３】
一方、端末状態判定部１０３が、閉状態であると判定した場合、ステップＳ２０４において、情報保存処理部１０４により受信コンテンツの蓄積処理を行う。
【００５４】
又、ステップＳ２０５において、再生情報選択部１０５は、情報保存部１０６内に蓄積されている選択条件情報６００を参照して、情報保存部１０６に記憶する未読の受信コンテンツの中から、端末状態判定部１０３が開状態であると判定した場合に再生すべきコンテンツを検索し、ヒットしたコンテンツの選択処理を行う。一方、ステップＳ２０２において、放送コンテンツに緊急に通知することを示す属性情報が付加されている場合には、ステップＳ２０６において、出力部１０８は放送コンテンツの受信通知を行う。
【００５５】
具体的に説明すると以下のようになる。
【００５６】
ここで、情報保存部１０６には、コンテンツ５００を受信する前に未読のコンテンツは記憶されていなかったとする。
【００５７】
今、受信したコンテンツ５００が、選択条件情報６００の中の条件情報６０２に対応するので、２番目の優先度を持つ通知すべきコンテンツの候補として選択し、その選択状態を示す旨の再生優先度情報として合わせて保存する。
【００５８】
次に、コンテンツ再生端末４０１が、コンテンツ５１０を受信した時の動作を説明する。
【００５９】
再生情報選択部１０５は、コンテンツ５１０を受信した時に、コンテンツ５００と同様に、再生情報選択部１０５が、受信したコンテンツ５１０の属性情報５１１を参照し、その属性情報が条件情報６０１に関わる情報であると判定し、コンテンツ５１０は先に受信したコンテンツ５００よりも優先度が高い、最優先の優先度とするコンテンツであるとして判断し、コンテンツ５１０を通知すべきコンテンツの第一候補として選択し、その旨の優先度情報と共にコンテンツ５１０を情報保存部１０６に保存する。従って、この場合、コンテンツ再生端末４０１は、開く操作が検出されたときに、再生すべきコンテンツとして、コンテンツ５１０を選択することになる。
【００６０】
次に、図３を用いて、コンテンツ再生について説明する。
【００６１】
ここでは、前述した通り、受信したコンテンツ５００及びコンテンツ５１０が情報保存部１０６に蓄積され、且つ、コンテンツ５１０が通知すべきコンテンツの第一候補である旨の情報を記憶している状態において、ユーザ操作により、開かれる操作が行われたことを検出した時の動作を説明する。
【００６２】
ステップＳ３０１において、端末状態判定部１０３は、開く動作が行われたことを検出すると、ステップＳ３０２において、再生情報選択部１０５は、情報保存部１０６を検索し、再生するコンテンツを検索する。
【００６３】
ステップＳ３０３において、再生情報選択部１０５は、再生するコンテンツとして第一候補を示す情報を有するコンテンツ５１０を再生するコンテンツとして選択し、ステップＳ３０４において、情報再生処理部１０７は、出力部１０８によりコンテンツ５１０の表示を行う。
【００６４】
なお、再生条件情報に応じたコンテンツが情報保存部１０６に記憶されていないとした場合には、ステップＳ３０５に示すように、通常の画面表示、例えば、メニュー画面表示を行う。
【００６５】
このように、本実施の形態１によれば、筐体の開状態を検出した場合には、未読の受信コンテンツ等の再生すべきコンテンツを選択して再生するので、ユーザが画面を見る動作を行う際に、ユーザが見たい情報を自動的にユーザに提示することができる。また、本実施の形態１によれば、ユーザにとっては、情報を受信し蓄積する度毎に頻繁に通知されることがなくなり、しかも、未読のコンテンツをその状況に応じて適宜自動的に提示されるから、より効果的にユーザの行動を支援することが可能になる。
【００６６】
なお、本実施の形態１では、再生すべきコンテンツの選定対象として、未読の受信コンテンツから選定する例を示したが、これに限らず、保存するその他の情報を対象としても良い。例えば、Ｗｅｂ閲覧により取得したコンテンツや、メールや、スケジュールに関わる情報を選定対象としても良い。
【００６７】
なお、上記説明では、開く操作を検出したときに予め選択されたコンテンツを再生するように説明したが、電話着信中での開く操作、メールの受信後直ちに開く操作である場合など、ある特定の目的を持って開く操作が行われた場合には、前述の予め選択されたコンテンツの再生を行わないように構成することが望ましい。
【００６８】
（実施の形態２）
図１，７、８を参照して、本発明の実施の形態２について説明する。
【００６９】
実施の形態２は、ブックマーク付与部１１５を有し、放送コンテンツの受信と視聴に際し、ブックマーク付与部１１５にてコンテンツにブックマークをつけて蓄積し、ユーザが携帯電話機を開く操作を行ったときに、ブックマークを付与したコンテンツの中から再生すべきコンテンツを選択し、表示するように構成したものである。
【００７０】
具体的には、再生すべきコンテンツの優先度情報の更新を行う方法として、ブックマークを更新することで、優先度情報を更新し、この優先度情報に基づき、再生すべきコンテンツを選択するようにしている。
【００７１】
最初に、情報保存部１０６に記憶する選択条件情報について説明する。
【００７２】
情報保存部１０６には、図７に示す選択条件情報７１０を記憶しているものとする。
【００７３】
即ち、選択条件情報７１０は、二つの条件情報７１１〜７１２を有する。
【００７４】
最初の条件情報７１１は、特徴情報７１３と重み付け情報７１４とを含む。
【００７５】
特徴情報７１３は、実施の形態１での説明と同様に、コンテンツに係る特徴情報に関し、ジャンル（ｇｅｎｒｅ）としてスポーツ（ｓｐｏｒｔｓ）の中のサッカー（ｆｏｏｔｂａｌｌ）を示すコンテンツに関わる特徴情報であることを示す。
【００７６】
重み付け情報７１４は、ブックマークを設定する回数に対応しており、その特徴情報７１３に関わる情報の選択について、どの程度の重要度とするかの情報を示す。ここで、重み付け情報は、最初にブックマークが設定されて初めて「１」となる。
【００７７】
コンテンツ再生端末４０１は、端末状態判定部１０３にて端末を開く操作が行われたことを検出した時に、ブックマーク付与部１１５にて、記憶するコンテンツに対して再生するコンテンツとすることを示す印（ブックマーク）を設定し、この印（ブックマーク）が設定される度毎に、そのコンテンツに関わる重み付け情報を増加させる。即ち、ブックマーク付与部１１５は、コンテンツに対してブックマークを設定した時に、コンテンツに付随する属性情報（特徴情報）を抽出し、その特徴情報に関する重み付けを「＋１」とする。図７の重み付け情報７１４は、特徴情報７１３が示すサッカー（ｆｏｏｔｂａｌｌ）に関わるコンテンツに１度、印が付与されたことを示している。
【００７８】
次に、コンテンツ再生端末４０１のブックマーク付与部１１５が、もう一度、サッカーに関わることを示す特徴情報７１３を有するコンテンツに対してブックマークを付与する。その結果、図８に示すように、重み付け情報の値が増加され、重み付け情報８２４が「２」となる。即ち、コンテンツに２度目の印が付与されることにより、重み付けが「１」から「２」になる。
【００７９】
そして、情報保存部１０６に図８の選択条件情報８１０が記憶されている場合、コンテンツ再生端末４０１の端末状態判定部１０３が、端末機の開状態を検出すると、再生すべきコンテンツとして、重み付け情報の値が大きいコンテンツを選択するが、この場合、図８の選択条件情報８１０に基づき、複数のコンテンツの中からサッカーに関わる特徴情報を有するコンテンツを優先して選択する。
【００８０】
なお、コンテンツ再生端末４０１は、選択条件情報７１０のように同じ重み付けの条件情報を記憶する場合、例えば、先に記述されるサッカーに関わるコンテンツを優先するコンテンツとするが、これに限定されるものではない。
【００８１】
また、他の条件の利用、例えば、時間情報を利用して、最近受信したコンテンツを優先する、又は、最も過去に受信したコンテンツを優先するなどとしても良い。
【００８２】
このように、本実施の形態２によれば、筐体の開状態を検出した場合には、ブックマーク等の選択条件情報に基づいてコンテンツを選択して再生するので、ユーザが画面を見る動作を行う際に、ユーザが見たい情報を自動的にユーザに提示することができる。また、本実施の形態２によれば、ユーザにとっては、情報を受信し蓄積する度毎に頻繁に通知されることがなくなり、しかも、ブックマークを付けたコンテンツを適宜自動的に提示されるから、より効果的にユーザの行動を支援することが可能になる。
【００８３】
なお、本実施の形態２では、選択条件情報に含まれる重み付け情報を更新する例として、コンテンツに印（ブックマーク）を付与する度毎に更新する例を示したが、選択条件情報の更新はこれに限らず、放送コンテンツの視聴を行うことにより、その放送コンテンツが有する特徴情報を利用して、選択条件情報を更新するようにしても良い。
【００８４】
また、Ｗｅｂでのコンテンツ閲覧に基づき、その閲覧コンテンツの特徴情報を利用して、選択条件情報を更新するようにしても良い。
【００８５】
即ち、ユーザによる明示的な選択条件情報の更新操作がなくとも、ユーザによる様々なコンテンツの利用状況に応じて、選択条件情報を更新するようにしても良い。
【００８６】
又、選択条件情報の更新に際しては、有料コンテンツを利用した場合にのみ更新するようにしても良い。
【００８７】
又、本実施の形態では、選択するコンテンツとして印（ブックマーク）を付与したコンテンツを再生するコンテンツとして選択する例を説明したが、これに限らず、未読のコンテンツを選択するようにしても良い。
【００８８】
又、コンテンツの表示に際して、印（ブックマーク）を付与したコンテンツと未読のコンテンツとを区別して、通知または再生するようにしても良い。
【００８９】
又、コンテンツ再生端末４０１は、ブックマークの付与の処理に際して、後に検索に用いるコンテンツに係る特徴情報を指定してブックマークを付与するようにしても良い。
【００９０】
又、実施の形態２は、実施の形態１との組み合わせにより構成されてもよい。
【００９１】
（実施の形態３）
図１、９を参照して、本発明の実施の形態３について説明する。
【００９２】
実施の形態３は、特に、環境情報取得部１１６を有し、端末装置が開状態になった時の端末の日時や時刻を含む時間情報や、端末装置の位置情報を取得するように構成している。
【００９３】
実施の形態３では、コンテンツの特徴情報として時間に関わる情報を利用し、特徴情報として時間に関わる情報を有するコンテンツを選択し、再生する例を以下に示す。
【００９４】
又、開く操作が行われたことの検出をきっかけとして、環境情報として、現在時刻情報を取得し、取得した時間情報を利用して再生すべきコンテンツを選択する例を示す。
【００９５】
最初に、コンテンツ再生端末４０１の情報保存部１０６に記憶している情報について、図９を参照して説明する。
【００９６】
コンテンツ再生端末４０１は、情報保存部１０６に、図９（ａ）、（ｂ）の二つのコンテンツを記憶している。
【００９７】
コンテンツ９００は、時間に関わる特徴情報である有効期間情報９０４として、有効期限が３月２日を示す情報を有している。
【００９８】
コンテンツ９１０は、時間に関わる特徴情報である有効期間情報９１４として、有効期限が３月９日を示す情報を有している。
【００９９】
また、コンテンツ再生端末４０１は、情報保存部１０６に選択条件情報として、最も有効期限が近い、即ち、有効期限が間近なコンテンツを選択する旨の情報を記憶している。
【０１００】
この状態で、コンテンツ再生端末４０１が、再生すべきコンテンツを選択する際、コンテンツが有する有効期限を参照し、最も有効期限が迫っているコンテンツを再生すべきコンテンツとして選択する。このことにより、コンテンツ再生端末４０１は、開く操作が行われたことの検出をきっかけとして、再生すべきコンテンツを選択する際、コンテンツ９００を選択する。
【０１０１】
次に、コンテンツ再生端末４０１が、開く操作が行われたことの検出をきっかけとして、環境情報としての現在時刻情報を取得し、その時間情報を利用して再生すべきコンテンツを選択する例を示す。
【０１０２】
コンテンツ再生端末４０１が取得した現在時刻が、３月５日とすると、再生情報選択部１０５は、第一候補のコンテンツ９００が有効期限切れであると判断し、再生するコンテンツとして選択せず、第二候補となるコンテンツ９１０を選択し、情報再生処理部１０７は、出力部１０８を介して、選択したコンテンツ９１０の再生処理を行う。
【０１０３】
このように、本実施の形態３によれば、ブックマーク等の選択条件情報及び現在時刻の情報等の環境情報に基づいてコンテンツを選択して再生するので、ユーザが画面を見る動作を行う際に、ユーザが見たい情報を自動的にユーザに提示することができる。また、本実施の形態３によれば、ユーザにとっては、情報を受信し蓄積する度毎に頻繁に通知されることがなくなり、しかも、有効期限内のコンテンツを適宜自動的に提示されるから、より効果的にユーザの行動を支援することが可能になる。
【０１０４】
なお、本実施の形態３では、コンテンツの特徴情報としての時間情報として、有効期間（有効期限）を用いたが、その他の時間情報、例えば、コンテンツの生成時刻を利用し、最近に作成されたコンテンツ、又は、最も過去に作成されたコンテンツを再生すべきコンテンツとして選択するようにしても良い。
【０１０５】
次に、コンテンツ再生端末４０１において、開く操作の検出をきっかけとした環境情報の取得に関して、場所に関わる情報を利用して再生すべきコンテンツを選択する例について説明する。
【０１０６】
この場合、コンテンツ再生端末４０１は、情報保存部１０６に、特徴情報として場所に関わる情報を有するコンテンツを記憶しており、開く操作の検出をきっかけとして取得した現在位置に最も近い場所に関わる情報を有するコンテンツを再生すべきコンテンツとして選択する。
【０１０７】
なお、コンテンツ再生端末４０１における、場所に関わる情報に基づく再生するコンテンツの選択に際し、現在位置とコンテンツが有する特徴情報としての場所に関わる情報とが、予め定められた距離以上の場合には選択しないようにしても良い。
【０１０８】
なお、現在位置は、ＧＰＳ機能などを用いて、緯度／経度情報を得ることが可能であり、緯度／経度情報を基に距離を算出することが可能である。
【０１０９】
又、場所に関わる情報としては、緯度／経度情報に限らず、その他の場所に関わる情報を利用しても良い、例えば、携帯電話網から得られるエリア情報を場所に関わる情報として利用しても良い。
【０１１０】
更に、開く操作の検出をきっかけとして、再生すべきコンテンツとして、ユーザの嗜好に応じて選択するコンテンツを限定するように構成し、限定したコンテンツの中から、開く操作の検出をきっかけとして取得する環境情報を利用して、再生すべきコンテンツを最終的に選択するようにしても良い。
【０１１１】
又、実施の形態３は、実施の形態１、２との組み合わせにより構成されてもよい。
【産業上の利用可能性】
【０１１２】
本発明は、特に、携帯電話機、携帯情報端末、ノート型パーソナルコンピュータ、無線ＬＡＮや有線ＬＡＮにより構築されたネットワーク上のパーソナルコンピュータ等のコンテンツ再生端末及びコンテンツ再生方法に好適である。
【図面の簡単な説明】
【０１１３】
【図１】本発明のコンテンツ再生端末のブロック図及びコンテンツ再生端末の斜視図
【図２】本発明の実施の形態１に係る受信コンテンツの処理方法を説明するフローチャート
【図３】実施の形態１に係るコンテンツ再生方法を説明するフローチャート
【図４】本発明のコンテンツ提供システムの構築図
【図５】本発明の受信コンテンツの構成の一例を示す図
【図６】実施の形態１に係る選択条件情報の構成の一例を示す図
【図７】本発明の実施の形態２に係る選択条件情報の構成の一例を示す図
【図８】実施の形態２に係る選択条件情報を示す図
【図９】本発明の実施の形態３に係るコンテンツの例
【符号の説明】
【０１１４】
１０１  通信部
１０２  緊急度判定部
１０３  端末状態判定部
１０４  情報保存処理部
１０５  再生情報選択部
１０６  情報保存部
１０７  情報再生処理部
１０８  出力部
１１０  表示装置
１１１  上側筐体
１１２  キー入力部
１１３  下側筐体
１１４  ヒンジ
１１５  ブックマーク付与部
１１６  環境情報取得部
４００  データ送信サーバ
４０１〜４０３  コンテンツ再生端末
４１０  ゲートウェイサーバ
４１１〜４１３  コンテンツ提供サーバ
４２０  コアネットワーク
４２１〜４２３  基地局
４３０  インターネット
５００、５１０、９００、９１０  コンテンツ
５０１、５１１  属性情報
５０２、５１２  本体情報
６００、７１０、８１０  選択条件情報
６０１、６０２、７１１、７１２、８１１、８１２  条件情報
６１１、６２１、７１３、７１５  特徴情報
６１２、６２２  優先度情報
７１４、７１６、８２４、８２６  重み付け情報
【図１】
2006093866.tif 000003
【図２】
2006093866.tif 000004
【図３】
2006093866.tif 000005
【図４】
2006093866.tif 000006
【図５】
2006093866.tif 000007
【図６】
2006093866.tif 000008
【図７】
2006093866.tif 000009
【図８】
2006093866.tif 000010
【図９】
2006093866.tif 000011